(57)【要約】【課題】構成が簡単で使い勝手の良いステージ等の提供。【解決手段】ベース部材２と、第１および第２移動部材３，４と、各部材３，４を各々直線運動させる回転操作手段５，６とを備えたステージにおいて、ベース部材２は手段５，６の回転により部材２に沿って直線運動する運動部材１４を備え、部材３は部材３，４を共に部材２に沿って運動部材１４の運動方向と直交する方向に移動させるための運動伝達機構２ａ，３ａ，８を備え、部材４は運動部材１４の直線運動に伴い部材４が部材３に沿って移動するように常に運動部材１４と係合する伝達部１６を備え、運動部材１４は運動部材１４に対する伝達部１６の前記運動方向の移動を拘束しつつ運動部材１４の直線運動に伴い部材４の直線運動を行い、かつ前記運動方向と直交する方向の運動伝達機構２ａ，３ａ，８による部材３，４の移動に際して伝達部１６を案内する。【選択図】図１
2004279710.tif 000002
【特許請求の範囲】
【請求項１】
ベース部材と、
前記ベース部材上に設けられた第１移動部材および第２移動部材と、
前記ベース部材の下部に取り付けられており前記第１移動部材および前記第２移動部材を各々直線運動させる回転操作手段とを備えたステージにおいて、
前記ベース部材は、前記回転操作手段の回転により前記ベース部材に沿って直線運動する直線運動部材を備え、
前記第１移動部材は、前記第１移動部材と前記第２移動部材とを共に前記ベース部材に沿って前記直線運動部材の運動方向に対して直交する方向に移動させるための運動伝達機構を備え、
前記第２移動部材は、前記直線運動部材の直線運動に伴い前記第２移動部材が前記第１移動部材に沿って移動するように常に前記直線運動部材と係合する伝達部を備え、
前記直線運動部材は、前記直線運動部材に対する前記伝達部の前記運動方向の移動を拘束しながら前記直線運動部材の直線運動に伴い前記第２移動部材の直線運動を行い、かつ前記運動方向と直交する方向の前記運動伝達機構による前記第１移動部材および前記第２移動部材の移動に際しては前記伝達部を案内することを特徴とするステージ。
【請求項２】
前記伝達部は、前記第１移動部材に沿って直線運動可能であり、前記第２移動部材に固定された移動体に設けられていることを特徴とする請求項１に記載のステージ。
【請求項３】
請求項１または請求項２に記載のステージにおいて、
前記ベース部材は、前記回転操作手段の回転操作によって回転する案内車と、回転可能に設けられた少なくとも１つの案内車と、前記両案内車を連結するベルトまたはワイヤとを備え、
前記直線運動部材は、前記ベルトまたはワイヤに一体的に固定されていることを特徴とするステージ。
【請求項４】
請求項１または請求項２に記載のステージにおいて、
前記ベース部材は、前記回転操作手段の回転操作によって回転する歯車を有し、
前記直線運動部材には、前記歯車に噛み合う前記運動方向へ沿った案内歯が設けられていることを特徴とするステージ。
【請求項５】
請求項１乃至請求項４のいずれか１項に記載のステージを備えたことを特徴とする生物顕微鏡。
【発明の詳細な説明】
【０００１】
【発明の属する技術分野】
本発明は、ＸＹ方向へ水平移動可能であり、生物顕微鏡に好適なステージ、および該ステージを備えた生物顕微鏡に関する。
【０００２】
【従来の技術】
従来、例えば顕微鏡に用いられるステージとして、操作ハンドルを回転操作することでＸ方向およびＹ方向への水平移動を行う構成のものが知られている。斯かるステージにおいて、ステージを水平方向へ移動させた際に操作ハンドル自身もステージとともに移動してしまう構成である場合、使用者は操作ハンドルに合わせて手を動かさなければならず使い勝手が悪い。このため、ステージの水平移動にかかわらず操作ハンドルの位置が固定である構成のステージが提案されている（例えば、特許文献１参照。）。
【０００３】
【特許文献１】
特開２０００−３３００３５号公報
【０００４】
【発明が解決しようとする課題】
しかしながら、操作ハンドルの位置を固定とした従来のステージは、構成が複雑であるため、製造コストが大きいという問題がある。
【０００５】
そこで本発明は上記問題点に鑑みてなされたものであり、構成が簡単で、上記のように構成が複雑なステージに比べて低コスト化を図った、使い勝手が良いステージ、および該ステージを備えた顕微鏡を提供することを目的とする。
【０００６】
【課題を解決するための手段】
上記課題を解決するために請求項１に記載の発明は、
ベース部材と、
前記ベース部材上に設けられた第１移動部材および第２移動部材と、
前記ベース部材の下部に取り付けられており前記第１移動部材および前記第２移動部材を各々直線運動させる回転操作手段とを備えたステージにおいて、
前記ベース部材は、前記回転操作手段の回転により前記ベース部材に沿って直線運動する直線運動部材を備え、
前記第１移動部材は、前記第１移動部材と前記第２移動部材とを共に前記ベース部材に沿って前記直線運動部材の運動方向に対して直交する方向に移動させるための運動伝達機構を備え、
前記第２移動部材は、前記直線運動部材の直線運動に伴い前記第２移動部材が前記第１移動部材に沿って移動するように常に前記直線運動部材と係合する伝達部を備え、
前記直線運動部材は、前記直線運動部材に対する前記伝達部の前記運動方向の移動を拘束しながら前記直線運動部材の直線運動に伴い前記第２移動部材の直線運動を行い、かつ前記運動方向と直交する方向の前記運動伝達機構による前記第１移動部材および前記第２移動部材の移動に際しては前記伝達部を案内することを特徴とするステージを提供する。
【０００７】
また、請求項２に記載のステージは、
前記伝達部は、前記第１移動部材に沿って直線運動可能であり、前記第２移動部材に固定された移動体に設けられていることを特徴とする。
【０００８】
また、請求項３に記載のステージは、
請求項１または請求項２に記載のステージにおいて、
前記ベース部材は、前記回転操作手段の回転操作によって回転する案内車と、回転可能に設けられた少なくとも１つの案内車と、前記両案内車を連結するベルトまたはワイヤとを備え、
前記直線運動部材は、前記ベルトまたはワイヤに一体的に固定されていることを特徴とする。
【０００９】
また、請求項４に記載のステージは、
請求項１または請求項２に記載のステージにおいて、
前記ベース部材は、前記回転操作手段の回転操作によって回転する歯車を有し、
前記直線運動部材には、前記歯車に噛み合う前記運動方向へ沿った案内歯が設けられていることを特徴とする。
【００１０】
また、請求項５に記載の生物顕微鏡は、
請求項１乃至請求項４のいずれか１項に記載のステージを備えたことを特徴とする。
【００１１】
【発明の実施の形態】
以下、本発明の実施の形態について、添付図面に基づいて詳細に説明する。
（第１実施形態）
本発明の第１実施形態に係るステージを図１乃至図４、および図７を参照して説明する。図１において、本実施形態に係るステージ１は、顕微鏡等のステージ設置面に固定されるベース部材２と、該ベース部材２上に第１の方向（Ｙ方向）へ移動可能に設けられた第１移動部材３と、第１の方向と直交する第２の方向（Ｘ方向）へ移動可能に設けられた第２移動部材４とからなる。
【００１２】
ベース部材２は、ＸＹ方向へ延びる板状の部材であって、ステージ１下方からの照明光等を通過させるための開口２ｃが設けられている。このベース部材２には、回転操作手段７が下向きに固設されている。
回転操作手段７は、図３に示すように、第１移動部材３をＹ方向へ移動させるためのＹ方向操作ハンドル５と、第２移動部材４をＸ方向へ移動させるためのＸ方向操作ハンドル６とからなる。Ｙ方向操作ハンドル５は、上端部に後述のピニオン９を備えた外軸７ｂの下方に一体的に設けられており、Ｘ方向操作ハンドル６は、上端部に後述の駆動プーリ１１を備えた内軸７ａの下方に一体的に設けられている。これにより、Ｙ方向操作ハンドル５、Ｘ方向操作ハンドル６をそれぞれ独立に回転操作することによって、外軸７ｂ、内軸７ａを回転させてピニオン９、駆動プーリ１１を回転させることができる。
【００１３】
ベース部材２の左右両側にはＹ方向に延びるガイド溝２ａ，２ａが形成されている。第１移動部材３の左右両側にはベース部材２の両側面に対向する側面を形成すべく下方突出部がビスにより固定されており、第１移動部材３の対向側面部にはガイド溝２ａ，２ａに対向してＹ方向に延びるガイド溝３ａ，３ａが形成されており、これら対向する両ガイド溝間にはコロ８が介装されている。このようなガイド機構を介して、第１移動部材３はベース部材２に対してＹ方向へ移動可能である。
また、図１に示すように第１移動部材３に形成された下方突出部の一方は、もう一方の下方突出部よりも下方に延びており、その内側側面にはＹ方向へ沿ったラック１０が設けられている。このラック１０に噛み合うピニオン９が回転操作手段７の外軸７ｂの上端部に設けられている。このピニオン９は、上述のように、Ｙ方向操作ハンドル５を回転操作することによって回転させることができる。こうして、Ｙ方向操作ハンドル５を回転操作してピニオン９を回転させた際には、回転するピニオン９がラック１０に噛み合うことで第１移動部材３がＹ方向へ移動する。
【００１４】
また図２に示すように、ベース部材２には上方に開く凹み２ｂが形成されている。該凹み２ｂの底部には、駆動プーリ１１が回転可能に支持されており、上述のように駆動プーリ１１はＸ方向操作ハンドル６を回転操作することによって回転させることができる。ベース部材２の凹み２ｂの底部にはさらに２つの従動プーリ１２ａ，１２ｂが回転可能に支持されており、駆動プーリ１１およびこれら２つの従動プーリ１２ａ，１２ｂにはベルト１３が巻きかけられている。従動プーリ１２ａ，１２ｂは、ベルト１３がＸ方向に一直線上になるように配置されており、この間においてベルト１３には直線運動部材（Ｘ方向ガイド）１４が固設されており、Ｘ方向ガイド１４はＸ方向操作ハンドル６の回転によってＸ方向に直線運動する。Ｘ方向ガイド１４には、Ｘ方向ガイド１４の所定範囲の外への移動を阻止するために適宜ストッパを設けておくこともできる。
尚、従動プーリ１２ａ，１２ｂの個数とその位置、およびベルト１３の掛け方は上記構成に限られず、Ｘ方向ガイド１４がＸ方向へ直線運動できるようにベルト１３をかけることができればよい。
【００１５】
またＸ方向ガイド１４には、先端に転がり軸受を備えた２つのガイド１５ａ，１５ｂが設けられている。この２つのガイド１５ａ，１５ｂは、図３に示すようにＹ方向へ延びた板状部材である伝達部１６をＹ方向へ移動可能に挟んでいる。このため伝達部１６はＹ方向へ移動可能であり、かつＸ方向ガイド１４がＸ方向へ移動する際に該Ｘ方向ガイド１４とともにＸ方向へ移動する。尚、上述の凹み２ｂは、伝達部１６がＹ方向へ直線運動できる広がりをもって形成されている。尚、上述のようにガイド１５ａ，１５ｂ先端には該ガイド１５ａ，１５ｂと伝達部１６との摩擦を低減するために転がり軸受が備えられているが、該転がり軸受に代えてブッシュ軸受にするかまたはガイド１５ａ，１５ｂの先端を伝達部１６に対して摩擦の少ない材料で構成するのみでもよい。
【００１６】
図４に示すように、第１移動部材３は、ＸＹ方向へ延びる板状の部材であって、ステージ１下方からの照明光等を通過させるための開口３ｃを備えている。この第１移動部材３にはＸ方向に延びるスロット１８が形成されており、スロット１８のＸ方向に延びる両側面にはＸ方向に延びるガイド突条１８ａが形成されている。スロット１８内には、Ｘ方向移動体１７が配置されている。このＸ方向移動体１７はＸ方向に延びる両側面にガイド突条１８ａに嵌まり合いＸ方向に延びるガイド溝１７ａが形成されており、Ｘ方向移動体１７は、コロレースまたはボールレースで保持されている。こうしてＸ方向移動体１７は、スロット１８内をＸ方向に移動可能である。Ｘ方向移動体１７の下面１７ｃには、上述した伝達部１６が固定されている。伝達部１６は第１移動部材３下面に沿ってＹ方向に延在しており、上述のガイド１５ａ，１５ｂに挟まれて該ガイド１５ａ，１５ｂ間をＹ方向に移動できる幅を有している。
【００１７】
また、Ｘ方向移動体１７の下面１７ｃには、第２移動部材４が固定されている。この第２移動部材４は、第１移動部材３の側面から上方へ向かって延びて該側面と接する部分４ａを備えた、断面がＬ字形状の板状部材である。そして、第２移動部材４には、図７に示すように第１移動部材３を挟み込むように試料ホルダ５１が取り付けられている。
図７は、本実施形態に係るステージを上方から見た概略図である。第１移動部材３の一端からは第２移動部材４の一部（上述の部分４ａ）を見ることができ、これに試料ホルダ５１が取り付けられている。この試料ホルダ５１は、スライドガラス５２を保持している。また、図７に示した状態のステージにおいては、第１移動部材３の一端から伝達部１６の端部が見えている。
【００１８】
したがって、伝達部１６がＸ方向へ移動する際には、Ｘ方向移動体１７、第２移動部材４、および試料ホルダ５１もＸ方向へ一体的に移動することとなる。これに対し、第１移動部材３がＹ方向へ移動する際には、該第１移動部材３とともに伝達部１６、Ｘ方向移動体１７、第２移動部材４、および試料ホルダ５１もＹ方向へ移動することとなる。尚、伝達部１６は上述したＸ方向ガイド１４のガイド１５ａ，１５ｂ間をＹ方向へ移動可能であるため、Ｘ方向ガイド１４にはＹ方向へ移動する力が伝達されることはない。
尚、図４では、ラック１０は図示していない。
【００１９】
以上、本実施形態では、Ｘ方向ガイド１４は、該Ｘ方向ガイド１４に対する伝達部１６のＸ方向への移動を拘束しながらＸ方向ガイド１４のＸ方向への直線運動に伴い第２移動部材４の直線運動を行い、かつ第１移動部材３および第２移動部材４のＹ方向への一体的な移動に際しては伝達部１６をＹ方向へ案内している。
【００２０】
上記構成の本実施形態に係るステージ１について、その動作を説明する。
試料をＸ方向へ移動させる場合、Ｘ方向操作ハンドル６を回転させる。これによって駆動プーリ１１が回転し、ベルト１３も合わせて回転する。このため、ベルト１３に設けられたＸ方向ガイド１４はＸ方向へ移動する。これにより、Ｘ方向ガイド１４のガイド１５ａ，１５ｂに挟まれている伝達部１６は、Ｘ方向移動体１７および第２移動部材４と一体的にＸ方向へ移動する。斯かる動作に基づいて、第２移動部材４はＸ方向へ移動することとなる。したがって、Ｘ方向操作ハンドル６を回転操作することで、第２移動部材４に固定された試料ホルダ５１と共に、該試料ホルダ５１に保持された試料をＸ方向へ移動させることができる。
【００２１】
また、試料をＹ方向へ移動させる場合、Ｙ方向操作ハンドル５を回転させる。これによってピニオン９が回転し、第１移動部材３のラック１０がピニオン９と噛み合う。これにより第１移動部材３は、第２移動部材４と一体的にＹ方向へ移動する。斯かる動作に基づいて、第２移動部材４はＹ方向へ移動することとなる。したがって、Ｙ方向操作ハンドル５を回転操作することで、第２移動部材４に固定された試料ホルダ５１と共に該試料ホルダ５１に保持された試料をＹ方向へ移動させることができる。
以上より本実施形態に係るステージ１は、固定配置のＹ方向操作ハンドル５およびＸ方向操作ハンドル６を回転操作することで、試料をＸＹ方向へ移動させることができる。
【００２２】
尚、本実施形態に係るステージでは、上述のように駆動プーリと２つの従動プーリにベルトが掛けられており、このベルトにＸ方向ガイドが取り付けられている。しかし本発明はこれに限られるものでなく、駆動プーリと２つの従動プーリにワイヤを掛け、このワイヤにＸ方向ガイドを取り付けて構成することもできる。
【００２３】
以上、本実施形態に係るステージ１は、２つの操作ハンドル５，６がベース部材２に設けられていることにより、第１移動部材３および第２移動部材４を移動させても操作ハンドル５，６の位置が移動することがなく使い勝手が良い。このため、本実施形態に係るステージを顕微鏡に設置して使用した場合、ステージを移動させる操作を接眼レンズで試料を観察しながら容易に行うことができる。また、操作ハンドルと調光ボリュームや上下動ハンドル等の顕微鏡に設けられている操作部との位置関係が変わることがない。したがって、顕微鏡を長時間にわたって使用する検鏡者の疲労を軽減することができる。
【００２４】
また、本実施形態に係るステージ１は、従来のステージに比して、廉価な部品を用い、構成を簡単にすることができる。したがって、低コスト化および高精度化を図ることができる。また、複雑な構成の部品を使用せず、ベース部材２に設けた凹み２ｂにＸ方向ガイド１４や伝達部１６を配置することで、ステージの厚みを実質的にベース部材２と第１移動部材３の厚み分のみとした、いわゆる２枚板ステージとすることができる。したがって、いわゆる３枚板ステージよりも軽量のステージを提供することができる。また、生物顕微鏡に好適な薄いステージを構成することができる。
また、本実施形態に係るステージ１において、伝達部１６はＸ方向移動体１７に備えられ、ガイド１５ａ，１５ｂはベース部材側（Ｘ方向ガイド１４）に備えられているが、これらは互いに逆の配置とすることもできる。
【００２５】
（第２実施形態）
本発明の第２実施形態に係るステージを図５を参照して説明する。以下の各実施形態において、上記第１実施形態に係るステージと同様の構成である部分には同じ符号を付して重複する説明を省略し、異なる部分について詳細に説明する。
【００２６】
図５に示すように第２実施形態に係るステージ１０１において、ベース部材１０２の凹み１０２ｂの底部には、ピニオン２２が回転可能に配置されている。このピニオン２２は、第１実施形態における駆動プーリの替わりに回転操作手段７の内軸７ａの上端部に設けられており、Ｘ方向操作ハンドル６を回転操作することによって回転させることができる。また凹み１０２ｂの底部には、Ｘ方向ガイド２３がＸ方向へ直線運動可能に設けられている。このＸ方向ガイド２３の側面には、ピニオン２２と噛み合うＸ方向に沿ったラック２４が設けられている。こうして、Ｘ方向操作ハンドル６を回転操作してピニオン２２を回転させた際には、ラック２４がＸ方向ガイド２３をＸ方向に移動させる。
【００２７】
またＸ方向ガイド２３には、上記実施形態におけるＸ方向ガイド１４と同様、先端にベアリングを備えた２つのガイド１５ａ，１５ｂが設けられており、不図示の伝達部１６をＹ方向へ移動可能に挟持している。このため伝達部１６は、Ｘ方向ガイド２３に対してＹ方向へ移動可能であり、かつＸ方向ガイド２３がＸ方向へ移動する際に該Ｘ方向ガイド２３とともにＸ方向へ移動する。
尚、本実施形態の上述以外の構成は、上記第１実施形態と同じである。
【００２８】
上記構成の本実施形態に係るステージ１０１について、その動作を説明する。試料をＸ方向へ移動させる場合、Ｘ方向操作ハンドル５を回転させる。これによってピニオン２２が回転し、Ｘ方向ガイド２３のラック２４がピニオン２２との噛み合いにより該Ｘ方向ガイド２３はＸ方向へ移動する。これにより、Ｘ方向ガイド２３のガイド１５ａ，１５ｂに挟まれている伝達部１６は、Ｘ方向移動体１７および第２移動部材４と一体的にＸ方向へ移動する。斯かる動作に基づいて、第２移動部材４はＸ方向へ移動することとなる。したがって、Ｘ方向操作ハンドル６を回転操作することで、第２移動部材４に固定された試料ホルダ５１と共に該試料ホルダ５１に保持された試料をＸ方向へ移動させることができる。
【００２９】
尚、試料をＹ方向へ移動させる場合については、上記第１実施形態と同様の動作に基づいて、第２移動部材４はＹ方向へ移動することとなる。したがって、Ｙ方向操作ハンドル５を回転操作することで、第２移動部材４に固定された試料ホルダ５１と共に該試料ホルダ５１に保持された試料をＹ方向へ移動させることができる。
以上、本実施形態に係るステージ１０１は、Ｙ方向操作ハンドル５およびＸ方向操作ハンドル６を回転操作することで試料をＸＹ方向へ移動させることができ、上記第１実施形態の奏する効果と同様の効果を奏することができる。
【００３０】
（第３実施形態）
本発明の第３実施形態に係るステージを図６を参照して説明する。本実施形態に係るステージは、ベース部材上に第１移動部材と第２移動部材とを重ねて設けた、いわゆる３枚板ステージである。
図６に示すように本実施形態に係るステージ２０１は、顕微鏡等のステージ設置面に固定されるベース部材２０２と、該ベース部材２０２上にＹ方向へ移動可能に設けられた第１移動部材２０３と、該第１移動部材２０３上にＸ方向へ移動可能に設けられた第２移動部材２０４とからなる。
【００３１】
ベース部材２０２は、ＸＹ方向へ延びる板状の部材であって、ステージ２０１下方からの照明光等を通過させるための開口２０２ｃが設けられている。このベース部材２０２には、上記第１実施形態と同様、回転操作手段７、駆動プーリ１１、従動プーリ１２ａ，１２ｂ、ベルト１３、およびガイド１５ａ，１５ｂを備えたＸ方向ガイド１４を備えている。
また、第１移動部材２０３および第２移動部材２０４は、ＸＹ方向へ延びる板状の部材であって、それぞれステージ２０１下方からの照明光等を通過させるための開口２０３ｃおよび開口２０４ｃが設けられている。さらに第２移動部材２０４の上面には、試料を保持するための不図示の試料ホルダがさらに固設されている。
【００３２】
第１移動部材２０３は、上記第１実施形態におけるベース部材２と第１移動部材３のガイド機構と同じ構成の不図示のガイド機構を介してベース部材２０２に対してＹ方向へ移動可能である。
また、第１移動部材２０３には上記第１実施形態と同様、回転操作手段７の外軸７ｂの上端部に設けられたピニオン９に噛み合うようにＹ方向へ沿ったラック１０が設けられている。
こうして、Ｙ方向操作ハンドル５を回転操作してピニオン９を回転させた際には、回転するピニオン９がラック１０に噛み合うことで第１移動部材２０３がＹ方向へ移動する。
【００３３】
また、第１移動部材２０３の左右両側にはＸ方向に延びるガイド溝２０３ａ，２０３ａが形成されている。第２移動部材２０４の左右両側は第１移動部材２０３の両側面に対向する側面を形成すべく下方突出部が一体に形成されており、第２移動部材２０４の対向側面部にはガイド溝２０３ａ，２０３ａに対向してＸ方向に延びるガイド溝２０４ａ，２０４ａが形成されており、これら対向する両ガイド溝間にはコロ２０８が介装されている。このようなガイド機構を介して、第２移動部材２０４は第１移動部材２０３に対してＸ方向へ移動可能である。そして、第２移動部材２０４に形成された下方突出部の一方の下面には、伝達部１６が固定されている。したがって、伝達部１６がＸ方向へ移動する際には、第２移動部材２０４がＸ方向へ一体的に移動することとなる。これに対し、第１移動部材２０３がＹ方向へ移動する際には、該第１移動部材２０３とともに伝達部１６、および第２移動部材２０４もＹ方向へ移動することとなる。
以上、本実施形態では、Ｘ方向ガイド１４は、該Ｘ方向ガイド１４に対する伝達部１６のＸ方向への移動を拘束しながらＸ方向ガイド１４のＸ方向への直線運動に伴い第２移動部材２０４の直線運動を行い、かつ第１移動部材２０３および第２移動部材２０４のＹ方向への一体的な移動に際しては伝達部１６をＹ方向へ案内している。
【００３４】
上記構成の本実施形態に係るステージについて、その動作を説明する。
試料をＸ方向へ移動させる場合、Ｘ方向操作ハンドル６を回転させる。これによって駆動プーリ１１が回転し、ベルト１３も合わせて回転する。このため、ベルト１３に設けられたＸ方向ガイド１４はＸ方向へ移動する。これにより、Ｘ方向ガイド１４のガイド１５ａ，１５ｂに挟まれている伝達部１６は、第２移動部材２０４と一体的にＸ方向へ移動する。斯かる動作に基づいて、第２移動部材２０４はＸ方向へ移動することとなる。したがって、Ｘ方向操作ハンドル６を回転操作することで、第２移動部材２０４上の試料ホルダに保持された試料をＸ方向へ移動させることができる。
【００３５】
また、試料をＹ方向へ移動させる場合、Ｙ方向操作ハンドル５を回転させる。これによってピニオン９が回転し、第１移動部材２０３のラック１０がピニオン９と噛み合う。これにより第１移動部材２０３は、第２移動部材２０４と一体的にＹ方向へ移動する。斯かる動作に基づいて、第２移動部材２０４はＹ方向へ移動することとなる。したがって、Ｙ方向操作ハンドル５を回転操作することで、第２移動部材２０４上の試料ホルダに保持された試料をＹ方向へ移動させることができる。
【００３６】
以上、本実施形態に係るステージ２０１は、Ｙ方向操作ハンドル５およびＸ方向操作ハンドル６を回転操作することで試料をＸＹ方向へ移動させることができ、上記第１実施形態の奏する効果と同様の効果を奏することができる。
さらに、上述のように本実施形態に係るステージ２０１は、いわゆる３枚板ステージであり、工業顕微鏡等に搭載して使用することもできる。
【００３７】
（第４実施形態）
本発明の第４実施形態に係る正立系の生物顕微鏡を図８を参照して説明する。図８は、本発明の第４実施形態に係る正立系の生物顕微鏡を示す概略構成図である。
本実施形態に係る正立系の生物顕微鏡（以下、単に「顕微鏡」という）４０は、上記第１実施形態に係るステージと同様の構成のステージ５０を備えた正立系の生物顕微鏡である。
【００３８】
図８において、ステージ５０上に載置された不図示の試料は、透過照明部４２からの照明光にて照明される。そして試料を透過した光は、対物レンズ４３と顕微鏡本体内に設けられた不図示の光学系を介して接眼観察部４４に導かれる。このようにして検鏡者は試料を肉眼観察することができる。尚、ステージ５０については後述する。
また、ステージ５０上に載置された不図示の試料には、例えば蛍光観察の場合、照明部４５からの励起光が照射される。これによって試料から発生した蛍光は、対物レンズ４３と不図示の光学系を介して不図示の撮像観察部に導かれる。このようにして検鏡者は試料を蛍光観察することができる。
本実施形態に係る顕微鏡４０においてステージ５０は、ステージ上下動ハンドル４６を回転操作することで上下動するサブステージ４７のステージ設置面４７ａに設置されている。そして、ステージ５０は本実施形態に係る顕微鏡４０において、上記第１実施形態に係るステージが奏する効果と同様の効果を奏する。
尚、本実施形態に係る顕微鏡４０のステージとして、第２実施形態または第３実施形態に係るステージを用いることもできる。
【００３９】
本実施形態に係る顕微鏡４０は、ステージ５０の操作に多大な疲労を強いることなく、長時間にわたる観察を行う際の検鏡者の疲労を軽減することができる。また本実施形態に係る顕微鏡４０は、ステージ５０が廉価な部品を用いた簡単な構成のものであるため、低コスト化を図ることができる。
尚、上述のように本実施形態では正立系の顕微鏡に本発明のステージを適用している。しかしこれに限られず、本発明のステージは倒立系の顕微鏡にも適用することができる。
【００４０】
【発明の効果】
本発明によれば、構成が簡単で使い勝手の良いステージ、および該ステージを備えた顕微鏡を提供することができる。
【図面の簡単な説明】
【図１】本発明の第１実施形態に係るステージを側方から見た、該ステージの外観を示す図である。
【図２】本発明の第１実施形態に係るステージにおけるベース部材を上方から見た、該ベース部材の構成を示す図である。
【図３】本発明の第１実施形態に係るステージを図１とは反対側の側方から見た、ステージの構成を示す一部切り欠き図である。
【図４】本発明の第１実施形態に係るステージにおける第１移動部材を下方から見た、該第１移動部材の構成を示す図である。
【図５】本発明の第２実施形態に係るステージにおけるベース部材を真上から見た、ベース部材の構成を示す図である。
【図６】本発明の第３実施形態に係るステージのＹ方向断面を示す図である。
【図７】本発明の第１実施形態および第２実施形態に係るステージを上方から見た概略図である。
【図８】本発明の第４実施形態に係る正立系の生物顕微鏡を示す概略構成図である。
【符号の説明】
１，２０，３０，５０  ステージ
２，３１              ベース部材
３，３２              第１移動部材
４，３３              第２移動部材
５                    Ｙ方向操作ハンドル
６                    Ｘ方向操作ハンドル
７                    回転操作手段
１４，２３            Ｘ方向ガイド（直線運動部材）
１５ａ，１５ｂ        ガイド
１６                  伝達部
４０                  正立系の生物顕微鏡
【図１】
2004279710.tif 000003
【図２】
2004279710.tif 000004
【図３】
2004279710.tif 000005
【図４】
2004279710.tif 000006
【図５】
2004279710.tif 000007
【図６】
2004279710.tif 000008
【図７】
2004279710.tif 000009
【図８】
2004279710.tif 000010